【手続補正書】
【提出日】平成19年10月19日(2007.10.19)
【手続補正１】
【補正対象書類名】明細書
【補正対象項目名】特許請求の範囲
【補正方法】変更
【補正の内容】
【特許請求の範囲】
【請求項１】
相互にカスケード信号を入出力するように、二台のデジタルミキサをカスケード接続して成るミキシングシステムにおいて、
前記各デジタルミキサに設けられ、前記カスケード信号以外の信号であって入力された複数のチャンネルの入力信号をミキシングし、その結果を複数系統の第１のミキシング信号としてミキシングバス毎に出力する第１のミキシング手段と、
前記各デジタルミキサに設けられ、前記複数系統の第１のミキシング信号を他方のデジタルミキサに対して前記カスケード信号として前記ミキシングバス毎にそれぞれ出力するカスケード出力手段と、
前記各デジタルミキサに設けられ、当該デジタルミキサにおける前記第１のミキシング信号を遅延する遅延手段と、
前記各デジタルミキサに設けられ、前記遅延手段によって遅延された第１のミキシング信号と、入力された前記カスケード信号とをミキシングバス毎にミキシングし、複数系統の第２のミキシング信号として前記ミキシングバス毎に出力する第２のミキシング手段と
を有することを特徴とするミキシングシステム。
【請求項２】  
前記各デジタルミキサに設けられ、指定された一または複数チャンネルの入力信号をミキシングして第１のキュー信号を出力する第１のキュー信号ミキシング手段と、
前記各デジタルミキサに設けられ、前記第１のキュー信号を他方のデジタルミキサに対してカスケード・キュー信号として出力するカスケード・キュー信号出力手段と、
前記各デジタルミキサに設けられ、各々のデジタルミキサにおける前記第１のキュー信号を遅延するキュー信号遅延手段と、
前記各デジタルミキサに設けられ、リンクをオンまたはオフ状態に設定するオンオフ手段と、
前記各デジタルミキサに設けられ、前記リンクがオン状態に設定された場合は、前記キュー信号遅延手段の出力信号と入力された前記カスケード・キュー信号とを加算し最終的なキュー信号として出力する一方、前記リンクがオフ状態に設定された場合は前記キュー信号遅延手段の出力信号をそのまま最終的なキュー信号として出力する第２のキュー信号ミキシング手段と
をさらに有することを特徴とする請求項１記載のミキシングシステム。
【請求項３】
前記各デジタルミキサは、他方のデジタルミキサと協同して動作可能であるか否かを判定する判定手段をさらに具備し、
前記第２のミキシング手段は、該判定手段において協同して動作可能であると判定されたことを条件として、前記遅延手段によって遅延された第１のミキシング信号と、入力された前記カスケード信号とを対応するミキシングバス毎にミキシングするものである
ことを特徴とする請求項１または２記載のミキシングシステム。
【手続補正２】
【補正対象書類名】明細書
【補正対象項目名】０００１
【補正方法】変更
【補正の内容】
【０００１】
【発明の属する技術分野】
本発明は、大規模なミキシング処理に用いて好適なミキシングシステムに関する。
【手続補正３】
【補正対象書類名】明細書
【補正対象項目名】０００５
【補正方法】変更
【補正の内容】
【０００５】
【発明が解決しようとする課題】
ところで、上述した従来のカスケード接続技術においては、最終的なミキシング結果は最下流のミキシングシステム（カスケードマスタ）においてのみ得られるものであった。このため、複数のミキシングシステムをカスケード接続しつつ各々のシステムにおいて独立したミキシング結果を得ることは不可能であった。同様に、カスケード接続されたミキシングシステムにおけるキュー信号が複数段階に渡ってミキシングされている場合に、最終的なキュー信号は最下流のミキシングシステム（カスケードマスタ）においてのみ得られるものであり、各々のシステムにおいて独立して最終的なキュー信号を得ることも困難であった。
この発明は上述した事情に鑑みてなされたものであり、複数のミキシングシステムを用いて処理能力を向上させつつ、各ミキシングシステムにおいて最終的なミキシング結果を得られるような高い独立性を確保できるミキシングシステムを提供することを目的としている。
【手続補正４】
【補正対象書類名】明細書
【補正対象項目名】０００６
【補正方法】変更
【補正の内容】
【０００６】
【課題を解決するための手段】
上記課題を解決するため本発明にあっては、下記構成を具備することを特徴とする。なお、括弧内は例示である。
請求項１記載のミキシングシステムにあっては、相互にカスケード信号を入出力するように、二台のデジタルミキサをカスケード接続して成るミキシングシステムにおいて、前記各デジタルミキサに設けられ、前記カスケード信号以外の信号であって入力された複数のチャンネルの入力信号をミキシングし、その結果を複数系統の第１のミキシング信号（ミキシングバス２４４ｅ，２４４ｆの出力信号）としてミキシングバス毎に出力する第１のミキシング手段（図５，ミキシングバス２４４ｅ，２４４ｆ）と、前記各デジタルミキサに設けられ、前記複数系統の第１のミキシング信号を他方のデジタルミキサに対して前記カスケード信号として前記ミキシングバス毎にそれぞれ出力するカスケード出力手段（２４４ｅから加算器２６６ｆへの信号出力，２４４ｆから加算器２６６ｅへの信号出力）と、前記各デジタルミキサに設けられ、当該デジタルミキサにおける前記第１のミキシング信号を遅延する遅延手段（遅延回路２６４ｅ，２６４ｆ）と、前記各デジタルミキサに設けられ、前記遅延手段によって遅延された第１のミキシング信号と、入力された前記カスケード信号とをミキシングバス毎にミキシングし、複数系統の第２のミキシング信号として前記ミキシングバス毎に出力する第２のミキシング手段（加算器２６６ｅ，２６６ｆ）とを有することを特徴とする。
さらに、請求項２記載の構成にあっては、請求項１記載のミキシングシステムにおいて、前記各デジタルミキサに設けられ、指定された一または複数チャンネルの入力信号をミキシングして第１のキュー信号（キューバス２４６ｅ，２４６ｆの出力信号）を出力する第１のキュー信号ミキシング手段（図５，キューバス２４６ｅ，２４６ｆ）と、前記各デジタルミキサに設けられ、前記第１のキュー信号（第１，第２キュー信号ＣＵＥ１（Ｅ），ＣＵＥ１（Ｆ））を他方のデジタルミキサに対してカスケード・キュー信号として出力するカスケード・キュー信号出力手段（２４６ｅから加算器２７２ｆへの信号出力，２４８ｅから加算器２７８ｆへの信号出力）と、前記各デジタルミキサに設けられ、各々のデジタルミキサにおける前記第１のキュー信号を遅延するキュー信号遅延手段（遅延回路２７０ｅ，２７０ｆ）と、前記各デジタルミキサに設けられ、リンクをオンまたはオフ状態に設定するオンオフ手段（２７４ｅ，２７４ｆ）と、前記各デジタルミキサに設けられ、前記リンクがオン状態に設定された場合は、前記キュー信号遅延手段の出力信号と入力された前記カスケード・キュー信号とを加算し最終的なキュー信号として出力する一方、前記リンクがオフ状態に設定された場合は前記キュー信号遅延手段の出力信号をそのまま最終的なキュー信号として出力する第２のキュー信号ミキシング手段（２７２ｅ，２７８ｅ）とをさらに有することを特徴とする。
さらに、請求項３記載の構成にあっては、請求項１または２記載のミキシングシステムにおいて、前記各デジタルミキサは、他方のデジタルミキサと協同して（カスケード接続により）動作可能であるか否かを判定する判定手段（ＣＰＵ１１８，ＳＰ２１２，ＳＰ２１４）をさらに具備し、前記第２のミキシング手段は、該判定手段において協同して動作可能であると判定されたことを条件として、前記遅延手段によって遅延された第１のミキシング信号と、入力された前記カスケード信号とを対応するミキシングバス毎にミキシングするものであることを特徴とする。
【手続補正５】
【補正対象書類名】明細書
【補正対象項目名】０１０７
【補正方法】変更
【補正の内容】
【０１０７】
3．1．2．シーンリコール処理
何れかのコンソールにおいてシーンリコール操作が実行されると、コンソールにおいて、図１０(a)に示すシーンリコールイベント処理ルーチンが起動される。なお、ここでは、シーンリコール操作が生じたカスケードグループがシングルコンソールシステムである場合の動作について説明する。
【手続補正６】
【補正対象書類名】明細書
【補正対象項目名】０１１１
【補正方法】変更
【補正の内容】
【０１１１】
次に、処理がステップＳＰ２４０に進むと、コンソール１００Ａ内においてシーン領域１２２ｂ内のシーン番号ＳＮの内容が新たなカレント操作データとしてカレント領域１２２ａにコピーされる。次に処理がステップＳＰ２４４に進むと、相手側グループのコンソール１００Ｃ，１００Ｄの双方から「リコール可能応答」を受信し、またはタイムアウトが発生したか（ステップＳＰ２４０の終了後に所定時間が経過したか）か否かが判定される。ここで「ＮＯ」と判定されると、ステップＳＰ２４４の処理が繰り返される。